(57)【要約】  左右耳用信号をそれぞれ再生するスピーカから出力されるクロストーク成分を良好に軽減する。  左耳用信号および右耳用信号のそれぞれを、クロストーク成分を軽減するように、少なくともバックツーバックのスピーカ配置の２つのスピーカを利用して指向性を持たせて再生する。例えば、スピーカは、ヘッドレストまたはこのヘッドレストが取り付けられるシートに備え付けられたスピーカである。例えば、左耳用信号および右耳用信号のそれぞれ持たせる指向性は、双指向性または単一指向性である。
2019139103.tif 000002
【特許請求の範囲】
【請求項１】
左耳用信号および右耳用信号のそれぞれを、クロストーク成分を軽減するように、少なくともバックツーバックのスピーカ配置の２つのスピーカを利用して、指向性を持たせて再生する
音響装置。
【請求項２】
上記スピーカは、ヘッドレストまたは該ヘッドレストが取り付けられるシートに備え付けられたスピーカである
請求項１に記載の音響装置。
【請求項３】
上記左耳用信号および上記右耳用信号のそれぞれに持たせる指向性は、双指向性である
請求項１に記載の音響装置。
【請求項４】
上記左耳用信号および上記右耳用信号のそれぞれに持たせる指向性は、単一指向性である
請求項１に記載の音響装置。
【請求項５】
上記バックツーバックのスピーカ配置の２つのスピーカは、プライマリスピーカと指向性を形成するためのセカンダリスピーカからなり、
上記左耳用信号再生用のプライマリスピーカおよび上記右耳用信号再生用のプライマリスピーカは第１の方向に所定の間隔を持って配置され、
上記左耳用信号再生用のセカンダリスピーカは、上記第１の方向において、上記左耳用信号再生用のプライマリスピーカと同じ位置に配置され、
上記右耳用信号再生用のセカンダリスピーカは、上記第１の方向において、上記右耳用信号再生用のプライマリスピーカと同じ位置に配置される
請求項１に記載の音響装置。
【請求項６】
上記バックツーバックのスピーカ配置の２つのスピーカは、プライマリスピーカと指向性を形成するためのセカンダリスピーカからなり、
上記左耳用信号再生用のプライマリスピーカおよび上記右耳用信号再生用のプライマリスピーカは第１の方向に所定の間隔を持って配置され、
上記左耳用信号再生用のセカンダリスピーカは、上記第１の方向において、上記左耳用信号再生用のプライマリスピーカより上記右耳用信号再生用のプライマリスピーカ側にずれた位置に配置され、
上記右耳用信号再生用のセカンダリスピーカは、上記第１の方向において、上記右耳用信号再生用のプライマリスピーカより上記左耳用信号再生用のプライマリスピーカ側にずれた位置に配置される
請求項１に記載の音響装置。
【請求項７】
上記左耳用信号再生用のセカンダリスピーカと上記右耳用信号再生用のセカンダリスピーカは同一のスピーカで構成される
請求項６に記載の音響装置。
【請求項８】
上記バックツーバックのスピーカ配置の２つのスピーカは、プライマリスピーカと指向性を形成するためのセカンダリスピーカからなり、
上記左耳用信号再生用のプライマリスピーカおよび上記右耳用信号再生用のプライマリスピーカは第１の方向に所定の間隔を持って配置され、
上記左耳用信号再生用のセカンダリスピーカは、上記第１の方向において、上記右耳用信号再生用のプライマリスピーカと同じ位置に配置され、
上記右耳用信号再生用のセカンダリスピーカは、上記第１の方向において、上記左耳用信号再生用のプライマリスピーカと同じ位置に配置される
請求項１に記載の音響装置。
【請求項９】
上記バックツーバックのスピーカ配置の２つのスピーカは、プライマリスピーカと指向性を形成するためのセカンダリスピーカからなり、
上記左耳用信号再生用のプライマリスピーカおよび上記右耳用信号再生用のプライマリスピーカは第１の方向に所定の間隔を持って配置され、
上記左耳用信号再生用のプライマリスピーカは、上記右耳用信号再生用のセカンダリスピーカに兼用され、
上記右耳用信号再生用のプライマリスピーカは、上記左耳用信号再生用のセカンダリスピーカに兼用される
請求項１に記載の音響装置。
【請求項１０】
上記バックツーバックのスピーカ配置の２つのスピーカは、プライマリスピーカと指向性を形成するためのセカンダリスピーカからなり、
上記左耳用信号再生用のプライマリスピーカおよび上記右耳用信号再生用のプライマリスピーカは第１の方向に所定の間隔を持って配置され、
上記第１の方向において、上記左耳用信号再生用のプライマリスピーカと同一位置に第１のセカンダリスピーカが配置され、上記右耳用信号再生用のプライマリスピーカと同一位置に第２のセカンダリスピーカが配置され、
上記第１のセカンダリスピーカは、上記左耳用再生信号の中高域用のセカンダリスピーカおよび上記右耳用再生信号の低域用のセカンダリスピーカとして用いられ、
上記第２のセカンダリスピーカは、上記右耳用再生信号の中高域用のセカンダリスピーカおよび上記左耳用再生信号の低域用のセカンダリスピーカとして用いられる
請求項１に記載の音響装置。
【請求項１１】
上記中高域用のセカンダリスピーカは単一指向性または双指向性を形成し、上記低域用のセカンダリスピーカは双指向性を形成する
請求項１０に記載の音響装置。
【発明の詳細な説明】
【技術分野】
【０００１】
本技術は、音響装置に関し、詳しくは、左右耳用信号をそれぞれ再生するスピーカから出力されるクロストーク成分を軽減する音響装置に関する。
【背景技術】
【０００２】
従来、ヘッドレストスピーカを用いた立体音響再生システム（バーチャルサラウンドシステム）が提案されている。この立体音響再生システムは、左右の２つのヘッドレストスピーカで仮想的にサラウンドを実現するものである。この立体音響再生システムの実現において、クロストーク成分の軽減が必要となる。【０００３】
例えば、特許文献１には、スピーカアレイを用いて座席毎にユーザ特有のオーディオ信号を再生するラウドスピーカシステムが提案されている。この技術においては、スピーカアレイに信号処理を施すことによって形成される指向性を利用して、ユーザ毎に異なるオーディオ信号を聴取させるものであり、ラウドスピーカアレイが必要になることに加え、スピーカアレイはリスニング位置の少なくとも２つの間に配置するという位置上の制約がある。
【先行技術文献】
【特許文献】
【０００４】
【特許文献１】特表２０１７−５２３６５４号公報
【発明の概要】
【発明が解決しようとする課題】
【０００５】
本技術の目的は、左右耳用信号をそれぞれ再生するスピーカから出力されるクロストーク成分を良好に軽減することにある。
【課題を解決するための手段】
【０００６】
本技術の概念は、
左耳用信号および右耳用信号のそれぞれを、クロストーク成分を軽減するように、少なくともバックツーバックのスピーカ配置の２つのスピーカを利用して指向性を持たせて再生する
音響装置にある。【０００７】
本技術において、左耳用信号および右耳用信号のそれぞれは、クロストーク成分を軽減するように、少なくともバックツーバックのスピーカ配置の２つのスピーカが利用されて、指向性を持たせられて再生される。例えば、スピーカは、ヘッドレストまたはこのヘッドレストが取り付けられるシートに備え付けられたスピーカである、ようにされてもよい。例えば、左耳用信号および右耳用信号のそれぞれ持たせる指向性は、双指向性または単一指向性である、ようにされてもよい。【０００８】
例えば、バックツーバックのスピーカ配置の２つのスピーカは、プライマリスピーカと指向性を形成するためのセカンダリスピーカからなり、左耳用信号再生用のプライマリスピーカおよび右耳用信号再生用のプライマリスピーカは第１の方向に所定の間隔を持って配置され、左耳用信号再生用のセカンダリスピーカは、第１の方向において、左耳用信号再生用のプライマリスピーカと同じ位置に配置され、右耳用信号再生用のセカンダリスピーカは、第１の方向において、右耳用信号再生用のプライマリスピーカと同じ位置に配置される、ようにされてもよい。【０００９】
また、例えば、バックツーバックのスピーカ配置の２つのスピーカは、プライマリスピーカと指向性を形成するためのセカンダリスピーカからなり、左耳用信号再生用のプライマリスピーカおよび右耳用信号再生用のプライマリスピーカは第１の方向に所定の間隔を持って配置され、左耳用信号再生用のセカンダリスピーカは、第１の方向において、左耳用信号再生用のプライマリスピーカより右耳用信号再生用のプライマリスピーカ側にずれた位置に配置され、右耳用信号再生用のセカンダリスピーカは、第１の方向において、右耳用信号再生用のプライマリスピーカより左耳用信号再生用のプライマリスピーカ側にずれた位置に配置される、ようにされてもよい。この場合、例えば、左耳用信号再生用のセカンダリスピーカと右耳用信号再生用のセカンダリスピーカは同一のスピーカで構成される、ようにされてもよい。【００１０】
また、例えば、バックツーバックのスピーカ配置の２つのスピーカは、プライマリスピーカと指向性を形成するためのセカンダリスピーカからなり、左耳用信号再生用のプライマリスピーカおよび右耳用信号再生用のプライマリスピーカは第１の方向に所定の間隔を持って配置され、左耳用信号再生用のセカンダリスピーカは、第１の方向において、右耳用信号再生用のプライマリスピーカと同じ位置に配置され、右耳用信号再生用のセカンダリスピーカは、第１の方向において、左耳用信号再生用のプライマリスピーカと同じ位置に配置される、ようにされてもよい。【００１１】
また、例えば、バックツーバックのスピーカ配置の２つのスピーカは、プライマリスピーカと指向性を形成するためのセカンダリスピーカからなり、左耳用信号再生用のプライマリスピーカおよび右耳用信号再生用のプライマリスピーカは第１の方向に所定の間隔を持って配置され、左耳用信号再生用のプライマリスピーカは、右耳用信号再生用のセカンダリスピーカに兼用され、右耳用信号再生用のプライマリスピーカは、左耳用信号再生用のセカンダリスピーカに兼用される、ようにされてもよい。【００１２】
また、例えば、バックツーバックのスピーカ配置の２つのスピーカは、プライマリスピーカと指向性を形成するためのセカンダリスピーカからなり、左耳用信号再生用のプライマリスピーカおよび右耳用信号再生用のプライマリスピーカは第１の方向に所定の間隔を持って配置され、第１の方向において、左耳用信号再生用のプライマリスピーカと同一位置に第１のセカンダリスピーカが配置され、右耳用信号再生用のプライマリスピーカと同一位置に第２のセカンダリスピーカが配置され、第１のセカンダリスピーカは、左耳用再生信号の中高域用のセカンダリスピーカおよび右耳用再生信号の低域用のセカンダリスピーカとして用いられ、第２のセカンダリスピーカは、右耳用再生信号の中高域用のセカンダリスピーカおよび左耳用再生信号の低域用のセカンダリスピーカとして用いられる、ようにされてもよい。この場合、例えば、中高域用のセカンダリスピーカは単一指向性または双指向性を形成し、低域用のセカンダリスピーカは双指向性を形成する、ようにされてもよい。【００１３】
このように本技術においては、左耳用信号および右耳用信号のそれぞれを、クロストーク成分を軽減するように、少なくともバックツーバックのスピーカ配置の２つのスピーカを利用して、指向性を持たせて再生するものである。そのため、スピーカアレイのような多数のラウドスピーカを必要とせず、また、スピーカの配置の位置制約もなく、クロストーク成分を良好に軽減できる。
【発明の効果】
【００１４】
本技術によれば、左右耳用信号をそれぞれ再生するスピーカから出力されるクロストーク成分を良好に軽減し得る。なお、ここに記載された効果は必ずしも限定されるものではなく、本開示中に記載されたいずれかの効果であってもよい。
【図面の簡単な説明】
【００１５】
【図１】実施例１としての音響装置の構成例を示す図である。
【図２】立体音響再生（バーチャルサラウンド）のための左耳用信号と右耳用信号を生成する信号処理装置の構成例を示すブロック図である。
【図３】実施例２としての音響装置の構成例を示す図である。
【図４】実施例３としての音響装置の構成例を示す図である。
【図５】実施例４としての音響装置の構成例を示す図である。
【図６】実施例５としての音響装置の構成例を示す図である。
【図７】実施例６としての音響装置の構成例を示す図である。
【図８】実施例７としての音響装置の構成例を示す図である。
【図９】実施例８としての音響装置の構成例を示す図である。
【図１０】実施例９としての音響装置の構成例を示す図である。
【図１１】実施例１０としての音響装置の構成例を示す図である。
【図１２】実施例１１としての音響装置の構成例を示す図である。
【図１３】実施例１２としての音響装置の構成例を示す図である。
【図１４】実施例１２としての音響装置の構成例を示す図である。
【発明を実施するための形態】
【００１６】
以下、発明を実施するための形態（以下、「実施の形態」とする）について説明する。なお、説明は以下の順序で行う。
１．実施の形態
２．変形例
【００１７】
＜１．実施の形態＞
［音響装置］
「実施例１」
図１は、実施例１としての音響装置１０Ａの構成例を示している。この音響装置１０Ａは、スピーカ１１ＬＰ，１１ＬＳ，１１ＲＰ，１１ＲＳが設置されたスピーカ設置部材１２を備えている。このスピーカ設置部材１２は、例えば、車内に設置される座席である車載シートの図示しない背もたれ部の上部中央位置に取り付けられているヘッドレスト１３に固定されている。なお、このスピーカ設置部材１２は、背もたれ部に固定されてもよい。また、スピーカ設置部材１２は、ヘッドレスト１３あるいはシートの背もたれ部と一体的に構成されていてもよい。
【００１８】
スピーカ１１ＬＰ，１１ＬＳは、左耳用信号を再生するためのスピーカであって、指向性を持たせるためのバックツーバック（Back-To-Back）のスピーカ配置の２つのスピーカを構成している。スピーカ１１ＬＰは、左耳用信号再生用のプライマリスピーカ（Primary Speaker）を構成しており、スピーカ設置部材１２の左側前面に設置されている。また、スピーカ１１ＬＳは、左耳用信号再生用のセカンダリスピーカ（Secondary Speaker）を構成しており、スピーカ設置部材１２の左側背面に設置されている。
【００１９】
スピーカ１１ＲＰ，１１ＲＳは、右耳用信号を再生するためのスピーカであって、指向性を持たせるためのバックツーバックのスピーカ配置の２つのスピーカを構成している。スピーカ１１ＲＰは、右耳用信号再生用のプライマリスピーカを構成しており、スピーカ設置部材１２の右側前面に設置されている。また、スピーカ１１ＲＳは、右耳用信号再生用のセカンダリスピーカを構成しており、スピーカ設置部材１２の右側背面に設置されている。
【００２０】
ここで、スピーカ１１ＬＰとスピーカ１１ＲＰは、ヘッドレスト１３を中心として、受聴者Ｍの左右方向に対応した第１の方向（矢印Ｐで図示）に所定の間隔を持って配置されている。スピーカ１１ＬＳは、第１の方向において、スピーカ１１ＬＰと同じ位置に配置されている。また、スピーカ１１ＲＳは、第１の方向において、スピーカ１１ＲＰと同じ位置に配置されている。なお、ここでいう同じ位置は、完全に同じ位置である必要はなく、多少のずれを許容するものである。
【００２１】
スピーカ１１ＬＰは立体音響再生（バーチャルサラウンド）のための左耳用信号ＳＬにより駆動され、スピーカ１１ＬＳは左耳用信号ＳＬからシグナルプロセッサ１４Ｌで得られた逆相信号ＳＬ´で駆動される。この場合、スピーカ１１ＬＰ，１１ＬＳで、左耳用信号が双指向性を持って再生されるように、シグナルプロセッサ１４Ｌにおいて逆相信号ＳＬ´のレベルが調整される。
【００２２】
また、スピーカ１１ＲＰは立体音響再生（バーチャルサラウンド）のための右耳用信号ＳＲにより駆動され、スピーカ１１ＲＳは右耳用信号ＳＲからシグナルプロセッサ１４Ｒで得られた逆相信号ＳＲ´で駆動される。この場合、スピーカ１１ＲＰ，１１ＲＳで、右耳用信号が双指向性を持って再生されるように、シグナルプロセッサ１４Ｒにおいて逆相信号ＳＲ´のレベルが調整される。
【００２３】
図１においては、スピーカ１１ＬＰ，１１ＬＳで再生される左耳用信号が持つ双指向性を破線で示している。なお、スピーカ１１ＲＰ，１１ＲＳで再生される右耳用信号が持つ双指向性については、図面の簡単化のため、その図示は省略している。
【００２４】
図２は、立体音響再生（バーチャルサラウンド）のための左耳用信号ＳＬと右耳用信号ＳＲを生成する信号処理装置３００の構成例を示している。この信号処理装置３００は、音源再生部３０１と、立体音像処理部３０２と、アンプ３０３を有している。音源再生部３０１では、例えば、サラウンド音声信号を構成する５チャネル、７チャネル等の音声信号が再生される。各チャネルの音声信号は立体音像処理部３０２に供給される。
【００２５】
立体音像処理部３０２では、各チャネルの音声信号に対して、バーチャル音像定位処理が施されて、左耳用信号および右耳用信号が生成される。立体音像処理部３０２で得られる左耳用信号はアンプ３０３で増幅されて左耳用信号ＳＬとなる。また、立体音像処理部３０２で得られる右耳用信号はアンプ３０３で増幅されて右耳用信号ＳＲとなる。
【００２６】
図１に示す音響装置１０Ａにおいては、バックツーバックのスピーカ配置のスピーカ１１ＬＰ，１１ＬＳが利用されて、左耳用信号が双指向性を持って再生される。そのため、これらのスピーカ１１ＬＰ，１１ＬＳで再生される左耳用信号に関しては、受聴者Ｍの左耳方向に進む音のレベル（矢印ａ参照）に比べて、右耳方向に進む音のレベル（矢印ｂ参照）は低くなり、左耳用信号に関するクロストーク成分が軽減される。また、バックツーバックのスピーカ配置のスピーカ１１ＲＰ，１１ＲＳが利用されて、右耳用信号が双指向性を持って再生されるため、右耳用信号に関するクロストーク成分も同様に軽減される。
【００２７】
このように、図１に示す音響装置１０Ａにおいては、左耳用信号および右耳用信号のそれぞれがバックツーバックのスピーカ配置の２つのスピーカが利用されて双指向性を持って再生されてクロストーク成分が軽減されるものである。そのため、スピーカアレイのような多数のラウドスピーカを必要とせず、また、スピーカアレイを用いるときのようなスピーカの配置の位置制約もなく、クロストーク成分を良好に軽減でき、良好な立体音響再生（バーチャルサラウンド）が可能となる。
【００２８】
「実施例２」
図３は、実施例２としての音響装置１０Ｂの構成例を示している。この図３において、図１と対応する部分には、同一符号を付し、適宜、その詳細説明は省略する。この音響装置１０Ｂは、スピーカ１１ＬＰ，１１ＬＳ，１１ＲＰ，１１ＲＳが設置されたスピーカ設置部材１２を備えている。このスピーカ設置部材１２は、例えば、車載シートの図示しない背もたれ部の上部中央位置に取り付けられているヘッドレスト１３に固定されている。なお、このスピーカ設置部材１２は、背もたれ部に固定されてもよい。また、スピーカ設置部材１２は、ヘッドレスト１３あるいはシートの背もたれ部と一体的に構成されていてもよい。
【００２９】
スピーカ１１ＬＰ，１１ＬＳは、左耳用信号を再生するためのスピーカであって、指向性を持たせるためのバックツーバックのスピーカ配置の２つのスピーカを構成している。スピーカ１１ＬＰは、左耳用信号再生用のプライマリスピーカを構成しており、スピーカ設置部材１２の左側前面に設置されている。また、スピーカ１１ＬＳは、左耳用信号再生用のセカンダリスピーカを構成しており、スピーカ設置部材１２の左側背面に設置されている。
【００３０】
スピーカ１１ＲＰ，１１ＲＳは、右耳用信号を再生するためのスピーカであって、指向性を持たせるためのバックツーバックのスピーカ配置の２つのスピーカを構成している。スピーカ１１ＲＰは、右耳用信号再生用のプライマリスピーカを構成しており、スピーカ設置部材１２の右側前面に設置されている。また、スピーカ１１ＲＳは、右耳用信号再生用のセカンダリスピーカを構成しており、スピーカ設置部材１２の右側背面に設置されている。
【００３１】
ここで、スピーカ１１ＬＰとスピーカ１１ＲＰは、ヘッドレスト１３を中心として、受聴者Ｍの左右方向に対応した第１の方向（矢印Ｐで図示）に所定の間隔を持って配置されている。スピーカ１１ＬＳは、第１の方向において、スピーカ１１ＬＰよりスピーカ１１ＲＰ側にずれた位置に配置されている。また、スピーカ１１ＲＳは、第１の方向において、スピーカ１１ＲＰよりスピーカ１１ＬＰ側にずれた位置に配置されている。
【００３２】
スピーカ１１ＬＰは立体音響再生（バーチャルサラウンド）のための左耳用信号ＳＬにより駆動され、スピーカ１１ＬＳは左耳用信号ＳＬからシグナルプロセッサ１４Ｌで得られた逆相信号ＳＬ´で駆動される。この場合、スピーカ１１ＬＰ，１１ＬＳで、左耳用信号が双指向性を持って再生されるように、シグナルプロセッサ１４Ｌにおいて逆相信号ＳＬ´のレベルが調整される。
【００３３】
また、スピーカ１１ＲＰは立体音響再生（バーチャルサラウンド）のための右耳用信号ＳＲにより駆動され、スピーカ１１ＲＳは右耳用信号ＳＲからシグナルプロセッサ１４Ｒで得られた逆相信号ＳＲ´で駆動される。この場合、スピーカ１１ＲＰ，１１ＲＳで、右耳用信号が双指向性を持って再生されるように、シグナルプロセッサ１４Ｒにおいて逆相信号ＳＲ´のレベルが調整される。
【００３４】
図３においては、スピーカ１１ＬＰ，１１ＬＳで再生される左耳用信号が持つ双指向性を破線で示している。なお、スピーカ１１ＲＰ，１１ＲＳで再生される右耳用信号が持つ双指向性については、図面の簡単化のため、その図示は省略している。
【００３５】
図３に示す音響装置１０Ｂにおいては、バックツーバックのスピーカ配置のスピーカ１１ＬＰ，１１ＬＳが利用されて、左耳用信号が双指向性を持って再生される。そのため、これらのスピーカ１１ＬＰ，１１ＬＳで再生される左耳用信号に関しては、受聴者Ｍの左耳方向に進む音のレベル（矢印ａ参照）に比べて、右耳方向に進む音のレベル（矢印ｂ参照）は低くなり、左耳用信号に関するクロストーク成分が軽減される。
【００３６】
この場合、スピーカ１１ＬＳが、第１の方向において、スピーカ１１ＬＰよりスピーカ１１ＲＰ側にずれた位置に配置されていることから、双指向性のヌル（Null）の方向が右耳方向に近づき、従って、図１に示す音響装置１０Ａに比べて、右耳方向に進む音のレベルはより低くなり、左耳用信号に関するクロストーク成分がより軽減される。また、バックツーバックのスピーカ配置のスピーカ１１ＲＰ，１１ＲＳが利用されて、右耳用信号が双指向性を持って再生されるため、右耳用信号に関するクロストーク成分も同様に軽減される。
【００３７】
このように、図３に示す音響装置１０Ｂにおいても、左耳用信号および右耳用信号のそれぞれがバックツーバックのスピーカ配置の２つのスピーカが利用されて双指向性を持って再生されてクロストーク成分が軽減されるものである。そのため、スピーカアレイのような多数のラウドスピーカを必要とせず、また、スピーカアレイを用いるときのようなスピーカの配置の位置制約もなく、クロストーク成分を良好に軽減でき、良好な立体音響再生（バーチャルサラウンド）が可能となる。
【００３８】
「実施例３」
図４は、実施例３としての音響装置１０Ｃの構成例を示している。この図４において、図１と対応する部分には、同一符号を付し、適宜、その詳細説明は省略する。この音響装置１０Ｃは、スピーカ１１ＬＰ，１１ＬＳ，１１ＲＰ，１１ＲＳが設置されたスピーカ設置部材１２を備えている。このスピーカ設置部材１２は、例えば、車載シートの図示しない背もたれ部の上部中央位置に取り付けられているヘッドレスト１３に固定されている。なお、このスピーカ設置部材１２は、背もたれ部に固定されてもよい。また、スピーカ設置部材１２は、ヘッドレスト１３あるいはシートの背もたれ部と一体的に構成されていてもよい。
【００３９】
スピーカ１１ＬＰ，１１ＬＳは、左耳用信号を再生するためのスピーカであって、指向性を持たせるためのバックツーバックのスピーカ配置の２つのスピーカを構成している。スピーカ１１ＬＰは、左耳用信号再生用のプライマリスピーカを構成しており、スピーカ設置部材１２の左側前面に設置されている。また、スピーカ１１ＬＳは、左耳用信号再生用のセカンダリスピーカを構成しており、スピーカ設置部材１２の右側背面に設置されている。
【００４０】
スピーカ１１ＲＰ，１１ＲＳは、右耳用信号を再生するためのスピーカであって、指向性を持たせるためのバックツーバックのスピーカ配置の２つのスピーカを構成している。スピーカ１１ＲＰは、右耳用信号再生用のプライマリスピーカを構成しており、スピーカ設置部材１２の右側前面に設置されている。また、スピーカ１１ＲＳは、右耳用信号再生用のセカンダリスピーカを構成しており、スピーカ設置部材１２の左側背面に設置されている。
【００４１】
ここで、スピーカ１１ＬＰとスピーカ１１ＲＰは、ヘッドレスト１３を中心として、受聴者Ｍの左右方向に対応した第１の方向（矢印Ｐで図示）に所定の間隔を持って配置されている。スピーカ１１ＬＳは、第１の方向において、スピーカ１１ＲＰと同じ位置に配置されている。また、スピーカ１１ＲＳは、第１の方向において、スピーカ１１ＬＰと同じ位置に配置されている。なお、ここでいう同じ位置は、完全に同じ位置である必要はなく、多少のずれを許容するものである。
【００４２】
スピーカ１１ＬＰは立体音響再生（バーチャルサラウンド）のための左耳用信号ＳＬにより駆動され、スピーカ１１ＬＳは左耳用信号ＳＬからシグナルプロセッサ１４Ｌで得られた逆相信号ＳＬ´で駆動される。この場合、スピーカ１１ＬＰ，１１ＬＳで、左耳用信号が双指向性を持って再生されるように、シグナルプロセッサ１４Ｌにおいて逆相信号ＳＬ´のレベルが調整される。
【００４３】
また、スピーカ１１ＲＰは立体音響再生（バーチャルサラウンド）のための右耳用信号ＳＲにより駆動され、スピーカ１１ＲＳは右耳用信号ＳＲからシグナルプロセッサ１４Ｒで得られた逆相信号ＳＲ´で駆動される。この場合、スピーカ１１ＲＰ，１１ＲＳで、右耳用信号が双指向性を持って再生されるように、シグナルプロセッサ１４Ｒにおいて逆相信号ＳＲ´のレベルが調整される。
【００４４】
図４においては、スピーカ１１ＬＰ，１１ＬＳで再生される左耳用信号が持つ双指向性を破線で示している。なお、スピーカ１１ＲＰ，１１ＲＳで再生される右耳用信号が持つ双指向性については、図面の簡単化のため、その図示は省略している。
【００４５】
図４に示す音響装置１０Ｃにおいては、バックツーバックのスピーカ配置のスピーカ１１ＬＰ，１１ＬＳが利用されて、左耳用信号が双指向性を持って再生される。そのため、これらのスピーカ１１ＬＰ，１１ＬＳで再生される左耳用信号に関しては、受聴者Ｍの左耳方向に進む音のレベル（矢印ａ参照）に比べて、右耳方向に進む音のレベルは低くなり、左耳用信号に関するクロストーク成分が軽減される。
【００４６】
この場合、スピーカ１１ＬＳが、第１の方向においてスピーカ１１ＲＰと同じ位置に配置されていることから、双指向性のヌル（Null）の方向が右耳方向とほぼ一致し、従って、右耳方向に進む音のレベルはほぼ０となり、左耳用信号に関するクロストーク成分が大幅に軽減される。また、バックツーバックのスピーカ配置のスピーカ１１ＲＰ，１１ＲＳが利用されて、右耳用信号が双指向性を持って再生されるため、右耳用信号に関するクロストーク成分も同様に軽減される。
【００４７】
このように、図４に示す音響装置１０Ｃにおいても、左耳用信号および右耳用信号のそれぞれがバックツーバックのスピーカ配置の２つのスピーカが利用されて双指向性を持って再生されてクロストーク成分が軽減されるものである。そのため、スピーカアレイのような多数のラウドスピーカを必要とせず、また、スピーカアレイを用いるときのようなスピーカの配置の位置制約もなく、クロストーク成分を良好に軽減でき、良好な立体音響再生（バーチャルサラウンド）が可能となる。
【００４８】
なお、バックツーバックのスピーカ配置の２つのスピーカを利用する場合、スピーカ間の距離が一定である場合には再生信号の周波数が低域であるほど指向性の形成が容易となる、つまりスピーカ間の距離が大きくなると高域では指向性の形成が困難となる。図４に示す音響装置１０Ｃの場合、バックツーバックのスピーカ配置の２つのスピーカの距離が大きくなるので、その距離によっては、再生信号が持つ高域の周波数成分に関しては指向性の形成が困難となることも考えられる。
【００４９】
「実施例４」
図５は、実施例４としての音響装置１０Ｄの構成例を示している。この図５において、図１と対応する部分には、同一符号を付し、適宜、その詳細説明は省略する。この音響装置１０Ｄは、スピーカ１１ＬＰ，１１ＬＳ，１１ＲＰ，１１ＲＳが設置されたスピーカ設置部材１２を備えている。このスピーカ設置部材１２は、例えば、車載シートの図示しない背もたれ部の上部中央位置に取り付けられているヘッドレスト１３に固定されている。なお、このスピーカ設置部材１２は、背もたれ部に固定されてもよい。また、スピーカ設置部材１２は、ヘッドレスト１３あるいはシートの背もたれ部と一体的に構成されていてもよい。
【００５０】
スピーカ１１ＬＰ，１１ＬＳは、左耳用信号を再生するためのスピーカであって、指向性を持たせるためのバックツーバックのスピーカ配置の２つのスピーカを構成している。スピーカ１１ＬＰは、左耳用信号再生用のプライマリスピーカを構成しており、スピーカ設置部材１２の左側前面に設置されている。また、スピーカ１１ＬＳは、左耳用信号再生用のセカンダリスピーカを構成しており、スピーカ設置部材１２の左側背面に設置されている。
【００５１】
スピーカ１１ＲＰ，１１ＲＳは、右耳用信号を再生するためのスピーカであって、指向性を持たせるためのバックツーバックのスピーカ配置の２つのスピーカを構成している。スピーカ１１ＲＰは、右耳用信号再生用のプライマリスピーカを構成しており、スピーカ設置部材１２の右側前面に設置されている。また、スピーカ１１ＲＳは、右耳用信号再生用のセカンダリスピーカを構成しており、スピーカ設置部材１２の右側背面に設置されている。
【００５２】
ここで、スピーカ１１ＬＰとスピーカ１１ＲＰは、ヘッドレスト１３を中心として、受聴者Ｍの左右方向に対応した第１の方向（矢印Ｐで図示）に所定の間隔を持って配置されている。スピーカ１１ＬＳは、第１の方向において、スピーカ１１ＲＰと同じ位置に配置されている。また、スピーカ１１ＲＳは、第１の方向において、スピーカ１１ＬＰと同じ位置に配置されている。なお、ここでいう同じ位置は、完全に同じ位置である必要はなく、多少のずれを許容するものである。
【００５３】
スピーカ１１ＬＰは立体音響再生（バーチャルサラウンド）のための左耳用信号ＳＬにより駆動され、スピーカ１１ＬＳは左耳用信号ＳＬからシグナルプロセッサ１４Ｌで得られた逆相信号ＳＬ´で駆動される。この場合、スピーカ１１ＬＰ，１１ＬＳで、左耳用信号が単一指向性を持って再生されるように、シグナルプロセッサ１４Ｌにおいて逆相信号ＳＬ´のレベルが調整される。
【００５４】
また、スピーカ１１ＲＰは立体音響再生（バーチャルサラウンド）のための右耳用信号ＳＲにより駆動され、スピーカ１１ＲＳは右耳用信号ＳＲからシグナルプロセッサ１４Ｒで得られた逆相信号ＳＲ´で駆動される。この場合、スピーカ１１ＲＰ，１１ＲＳで、右耳用信号が単一指向性を持って再生されるように、シグナルプロセッサ１４Ｒにおいて逆相信号ＳＲ´のレベルが調整される。
【００５５】
図５においては、スピーカ１１ＬＰ，１１ＬＳで再生される左耳用信号が持つ単一指向性を破線で示している。なお、スピーカ１１ＲＰ，１１ＲＳで再生される右耳用信号が持つ単一指向性については、図面の簡単化のため、その図示は省略している。
【００５６】
図５に示す音響装置１０Ｄにおいては、バックツーバックのスピーカ配置のスピーカ１１ＬＰ，１１ＬＳが利用されて、左耳用信号が単一指向性を持って再生される。そのため、これらのスピーカ１１ＬＰ，１１ＬＳで再生される左耳用信号に関しては、受聴者Ｍの左耳方向に進む音のレベル（矢印ａ参照）に比べて、右耳方向に進む音のレベルは低くなり、左耳用信号に関するクロストーク成分が軽減される。
【００５７】
この場合、左耳用信号が単一指向性を持って再生されることから、図１に示す音響装置１０Ａのように双指向性を持って再生されるものに比べて、右耳方向に進む音のレベルは高くなるが、背面側に進む音のレベルを大幅に少なくできる。また、バックツーバックのスピーカ配置のスピーカ１１ＲＰ，１１ＲＳが利用されて、右耳用信号が単一指向性を持って再生されるため、右耳用信号に関するクロストーク成分も同様に軽減される。
【００５８】
このように、図５に示す音響装置１０Ｄにおいても、左耳用信号および右耳用信号のそれぞれがバックツーバックのスピーカ配置の２つのスピーカが利用されて単一指向性を持って再生されてクロストーク成分が軽減されるものである。そのため、スピーカアレイのような多数のラウドスピーカを必要とせず、また、スピーカアレイを用いるときのようなスピーカの配置の位置制約もなく、クロストーク成分を良好に軽減でき、良好な立体音響再生（バーチャルサラウンド）が可能となる。
【００５９】
なお、詳細説明は省略するが、上述した図３、図４に示す音響装置１０Ｂ，１０Ｃに示すような構成においても、左耳用信号および右耳用信号をバックツーバックのスピーカ配置の２つのスピーカで単一指向性を持って再生することが考えられ、図５に示す音響装置１０Ｄと同様に、クロストーク成分を良好に軽減できる。
【００６０】
「実施例５」
図６は、実施例５としての音響装置１０Ｅの構成例を示している。この図６において、図１と対応する部分には同一符号を付し、適宜、その詳細説明は省略する。この音響装置１０Ｅは、スピーカ１１ＬＰ，１１ＲＰ，１１ＳＡ，１１ＳＢが設置されたスピーカ設置部材１２を備えている。このスピーカ設置部材１２は、例えば、車載シートの図示しない背もたれ部の上部中央位置に取り付けられているヘッドレスト１３に固定されている。なお、このスピーカ設置部材１２は、背もたれ部に固定されてもよい。また、スピーカ設置部材１２は、ヘッドレスト１３あるいはシートの背もたれ部と一体的に構成されていてもよい。
【００６１】
スピーカ１１ＬＰは、スピーカ設置部材１２の左側前面に設置されている。スピーカ１１ＲＰは、スピーカ設置部材１２の右側前面に設置されている。スピーカ１１ＳＡは、スピーカ設置部材１２の左側背面に設置されている。スピーカ１１ＳＢは、スピーカ設置部材１２の右側背面に設置されている。
【００６２】
ここで、スピーカ１１ＬＰとスピーカ１１ＲＰは、ヘッドレスト１３を中心として、受聴者Ｍの左右方向に対応した第１の方向（矢印Ｐで図示）に所定の間隔を持って配置されている。スピーカ１１ＳＡは、第１の方向において、スピーカ１１ＬＰと同じ位置に配置されている。また、スピーカ１１ＳＢは、第１の方向において、スピーカ１１ＲＰと同じ位置に配置されている。なお、ここでいう同じ位置は、完全に同じ位置である必要はなく、多少のずれを許容するものである。
【００６３】
スピーカ１１ＬＰ，１１ＳＡは、左耳用信号の中高域を再生するためのスピーカであって、指向性を持たせるためのバックツーバックのスピーカ配置の２つのスピーカを構成している。この場合、スピーカ１１ＬＰは、プライマリスピーカを構成し、スピーカ１１ＳＡは、セカンダリスピーカを構成する。スピーカ１１ＬＰ，１１ＳＢは、左耳用信号の低域を再生するためのスピーカであって、指向性を持たせるためのバックツーバックのスピーカ配置の２つのスピーカを構成している。この場合、スピーカ１１ＬＰは、プライマリスピーカを構成し、スピーカ１１ＳＢは、セカンダリスピーカを構成する。
【００６４】
スピーカ１１ＲＰ，１１ＳＢは、右耳用信号の中高域を再生するためのスピーカであって、指向性を持たせるためのバックツーバックのスピーカ配置の２つのスピーカを構成している。この場合、スピーカ１１ＲＰは、プライマリスピーカを構成し、スピーカ１１ＳＢは、セカンダリスピーカを構成する。スピーカ１１ＲＰ，１１ＳＡは、右耳用信号の低域を再生するためのスピーカであって、指向性を持たせるためのバックツーバックのスピーカ配置の２つのスピーカを構成している。この場合、スピーカ１１ＲＰは、プライマリスピーカを構成し、スピーカ１１ＳＡは、セカンダリスピーカを構成する。
【００６５】
スピーカ１１ＬＰは立体音響再生（バーチャルサラウンド）のための、低域成分および中高域成分を持つ左耳用信号ＳＬにより駆動される。スピーカ１１ＲＰは立体音響再生（バーチャルサラウンド）のための、低域成分および中高域成分を持つ右耳用信号ＳＲにより駆動される。
【００６６】
ハイパスフィルタ１５ＬＨは、左耳用信号ＳＬから中高域成分ＳＬＨを抽出する。そして、シグナルプロセッサ１４ＬＨは、スピーカ１１ＬＰ，１１ＳＡで、一点鎖線で図示するように、左耳用信号の中高域が双指向性を持って再生されるように、ハイパスフィルタ１５ＬＨで得られた中高域成分ＳＬＨを処理してレベル調整された逆相信号ＳＬＨ´を生成する。なお、後述するスピーカ１１ＲＰ，１１ＳＢで再生される右耳用信号の中高域が持つ双指向性については、図面の簡単化のため、その図示は省略している。
【００６７】
また、ローパスフィルタ１５ＬＬは、左耳用信号ＳＬから低域成分ＳＬＬを抽出する。そして、シグナルプロセッサ１４ＬＬは、スピーカ１１ＬＰ，１１ＳＢで、破線で図示するように、左耳用信号の低域が双指向性を持って再生されるように、ローパスフィルタ１５ＬＬで得られた低域成分ＳＬＬを処理してレベル調整された逆相信号ＳＬＬ´を生成する。なお、後述するスピーカ１１ＲＰ，１１ＳＡで再生される右耳用信号の低域が持つ双指向性については、図面の簡単化のため、その図示は省略している。
【００６８】
ハイパスフィルタ１５ＲＨは、右耳用信号ＳＲから中高域成分ＳＲＨを抽出する。そして、シグナルプロセッサ１４ＲＨは、スピーカ１１ＲＰ，１１ＳＢで、右耳用信号の中高域が双指向性を持って再生されるように、ハイパスフィルタ１５ＲＨで得られた中高域成分ＳＲＨを処理してレベル調整された逆相信号ＳＲＨ´を生成する。
【００６９】
また、ローパスフィルタ１５ＲＬは、右耳用信号ＳＲから低域成分ＳＲＬを抽出する。そして、シグナルプロセッサ１４ＲＬは、スピーカ１１ＲＰ，１１ＳＡで、右耳用信号の低域が双指向性を持って再生されるように、ローパスフィルタ１５ＲＬで得られた低域成分ＳＲＬを処理してレベル調整された逆相信号ＳＲＬ´を生成する。
【００７０】
加算器１６Ａは、シグナルプロセッサ１４ＬＨで得られる逆相信号ＳＬＨ´とシグナルプロセッサ１４ＲＬで得られる逆相信号ＳＲＬ´を加算する。スピーカ１１ＳＡは加算器１６Ａで得られる加算信号により駆動される。また、加算器１６Ｂは、シグナルプロセッサ１４ＲＨで得られる逆相信号ＳＲＨ´とシグナルプロセッサ１４ＬＬで得られる逆相信号ＳＬＬ´を加算する。スピーカ１１ＳＢは加算器１６Ｂで得られる加算信号により駆動される。
【００７１】
図６に示す音響装置１０Ｅにおいては、バックツーバックのスピーカ配置のスピーカ１１ＬＰ，１１ＳＡが利用されて、左耳用信号の中高域が双指向性を持って再生される。そのため、この左耳用信号の中高域に関しては、受聴者Ｍの左耳方向に進む音のレベル（矢印ａ参照）に比べて、右耳方向に進む音のレベル（矢印ｂ参照）は低くなり、左耳用信号に関するクロストーク成分が軽減される。また、バックツーバックのスピーカ配置のスピーカ１１ＲＰ，１１ＳＢが利用されて、右耳用信号の中高域が双指向性を持って再生されるため、右耳用信号の中高域に関するクロストーク成分も同様に軽減される。
【００７２】
また、バックツーバックのスピーカ配置のスピーカ１１ＬＰ，１１ＳＢが利用されて、左耳用信号の低域が双指向性を持って再生される。そのため、この左耳用信号の低域に関しては、受聴者Ｍの左耳方向に進む音のレベル（矢印ｃ参照）に比べて、右耳方向に進む音のレベルはほぼ０となり、左耳用信号に関するクロストーク成分が大幅に軽減される。また、バックツーバックのスピーカ配置のスピーカ１１ＲＰ，１１ＳＡが利用されて、右耳用信号の低域が双指向性を持って再生されるため、右耳用信号の低域に関するクロストーク成分も同様に大幅に軽減される。
【００７３】
このように、図６に示す音響装置１０Ｅにおいては、左耳用信号および右耳用信号のそれぞれがバックツーバックのスピーカ配置の２つのスピーカが利用されて双指向性を持って再生されてクロストーク成分が軽減されるものである。そして、この場合、中高域成分に関しては距離が短い２つのスピーカを利用するため、双指向性を容易に持たせることができる。また、この場合、低域成分に関しては、距離の長い２つのスピーカを利用するため、クロストーク成分の進む方向が双指向性のヌルの方向と近くなり、クロストーク成分が大幅に軽減される。また、スピーカアレイのような多数のラウドスピーカを必要とせず、また、スピーカアレイを用いるときのようなスピーカの配置の位置制約もなく、クロストーク成分を良好に軽減でき、良好な立体音響再生（バーチャルサラウンド）が可能となる。
【００７４】
「実施例６」
図７は、実施例６としての音響装置１０Ｆの構成例を示している。この図７において、図６と対応する部分には同一符号を付し、適宜、その詳細説明は省略する。この音響装置１０Ｆは、図６に示す音響装置１０Ｅと同様に、スピーカ１１ＬＰ，１１ＲＰ，１１ＳＡ，１１ＳＢが設置されたスピーカ設置部材１２を備えている。
【００７５】
スピーカ１１ＬＰは立体音響再生（バーチャルサラウンド）のための、低域成分および中高域成分を持つ左耳用信号ＳＬにより駆動される。スピーカ１１ＲＰは立体音響再生（バーチャルサラウンド）のための、低域成分および中高域成分を持つ右耳用信号ＳＲにより駆動される。
【００７６】
シグナルプロセッサ１４ＬＨは、スピーカ１１ＬＰ，１１ＳＡで、一点鎖線で図示するように、左耳用信号の中高域が単一指向性を持って再生されるように、ハイパスフィルタ１５ＬＨで得られた中高域成分ＳＬＨを処理してレベル調整された逆相信号ＳＬＨ´を生成する。なお、後述するスピーカ１１ＲＰ，１１ＳＢで再生される右耳用信号の中高域が持つ単一指向性については、図面の簡単化のため、その図示は省略している。
【００７７】
また、シグナルプロセッサ１４ＬＬは、スピーカ１１ＬＰ，１１ＳＢで、破線で図示するように、左耳用信号の低域が双指向性を持って再生されるように、ローパスフィルタ１５ＬＬで得られた低域成分ＳＬＬを処理してレベル調整された逆相信号ＳＬＬ´を生成する。なお、後述するスピーカ１１ＲＰ，１１ＳＡで再生される右耳用信号の低域が持つ双指向性については、図面の簡単化のため、その図示は省略している。
【００７８】
シグナルプロセッサ１４ＲＨは、スピーカ１１ＲＰ，１１ＳＢで、右耳用信号の中高域が単一指向性を持って再生されるように、ハイパスフィルタ１５ＲＨで得られた中高域成分ＳＲＨを処理してレベル調整された逆相信号ＳＲＨ´を生成する。また、シグナルプロセッサ１４ＲＬは、スピーカ１１ＲＰ，１１ＳＡで、右耳用信号の低域が双指向性を持って再生されるように、ローパスフィルタ１５ＲＬで得られた低域成分ＳＲＬを処理してレベル調整された逆相信号ＳＲＬ´を生成する。
【００７９】
加算器１６Ａは、シグナルプロセッサ１４ＬＨで得られる逆相信号ＳＬＨ´とシグナルプロセッサ１４ＲＬで得られる逆相信号ＳＲＬ´を加算する。スピーカ１１ＳＡは加算器１６Ａで得られる加算信号により駆動される。また、加算器１６Ｂは、シグナルプロセッサ１４ＲＨで得られる逆相信号ＳＲＨ´とシグナルプロセッサ１４ＬＬで得られる逆相信号ＳＬＬ´を加算する。スピーカ１１ＳＢは加算器１６Ｂで得られる加算信号により駆動される。
【００８０】
図７に示す音響装置１０Ｆにおいては、バックツーバックのスピーカ配置のスピーカ１１ＬＰ，１１ＳＡが利用されて、左耳用信号の中高域が単一指向性を持って再生される。そのため、この左耳用信号の中高域に関しては、受聴者Ｍの左耳方向に進む音のレベル（矢印ａ参照）に比べて、右耳方向に進む音のレベル（矢印ｂ参照）は低くなり、左耳用信号に関するクロストーク成分が軽減される。また、バックツーバックのスピーカ配置のスピーカ１１ＲＰ，１１ＳＢが利用されて、右耳用信号の中高域が双指向性を持って再生されるため、右耳用信号の中高域に関するクロストーク成分も同様に軽減される。
【００８１】
また、バックツーバックのスピーカ配置のスピーカ１１ＬＰ，１１ＳＢが利用されて、左耳用信号の低域が双指向性を持って再生される。そのため、この左耳用信号の低域に関しては、受聴者Ｍの左耳方向に進む音のレベル（矢印ｃ参照）に比べて、右耳方向に進む音のレベルはほぼ０となり、左耳用信号に関するクロストーク成分が大幅に軽減される。また、バックツーバックのスピーカ配置のスピーカ１１ＲＰ，１１ＳＡが利用されて、右耳用信号の低域が双指向性を持って再生されるため、右耳用信号の低域に関するクロストーク成分も同様に大幅に軽減される。
【００８２】
このように、図７に示す音響装置１０Ｆにおいては、左耳用信号および右耳用信号のそれぞれがバックツーバックのスピーカ配置の２つのスピーカが利用されて双指向性および単一指向性を持って再生されてクロストーク成分が軽減されるものである。そして、この場合、中高域成分に関しては距離が短い２つのスピーカを利用するため、単一指向性を容易に持たせることができる。また、この場合、低域成分に関しては、距離の長い２つのスピーカを利用するため、クロストーク成分の進む方向が双指向性のヌルの方向と近くなり、クロストーク成分が大幅に軽減される。また、スピーカアレイのような多数のラウドスピーカを必要とせず、また、スピーカアレイを用いるときのようなスピーカの配置の位置制約もなく、クロストーク成分を良好に軽減でき、良好な立体音響再生（バーチャルサラウンド）が可能となる。
【００８３】
なお、図６、図７に示す音響装置１０Ｅ，１０Ｆにおいては、低域に関しては双指向性を持たせるようにしているが、図示は省略するが、この低域に関しても単一指向性を持たせることも考えられる。その場合にあっても、クロストーク成分を良好に軽減できる。
【００８４】
「実施例７」
図８は、実施例７としての音響装置１０Ｇの構成例を示している。この図８において、図１と対応する部分には同一符号を付し、適宜、その詳細説明は省略する。この音響装置１０Ｇは、スピーカ１１ＬＰ，１１ＲＰ，１１Ｓが設置されたスピーカ設置部材１２を備えている。このスピーカ設置部材１２は、例えば、車載シートの図示しない背もたれ部の上部中央位置に取り付けられているヘッドレスト１３に固定されている。なお、このスピーカ設置部材１２は、背もたれ部に固定されてもよい。また、スピーカ設置部材１２は、ヘッドレスト１３あるいはシートの背もたれ部と一体的に構成されていてもよい。
【００８５】
スピーカ１１ＬＰは、スピーカ設置部材１２の左側前面に設置されている。スピーカ１１ＲＰは、スピーカ設置部材１２の右側前面に設置されている。スピーカ１１Ｓは、スピーカ設置部材１２の中央背面に設置されている。
【００８６】
ここで、スピーカ１１ＬＰとスピーカ１１ＲＰは、ヘッドレスト１３を中心として、受聴者Ｍの左右方向に対応した第１の方向（矢印Ｐで図示）に所定の間隔を持って配置されている。スピーカ１１Ｓは、第１の方向において、スピーカ１１ＬＰとスピーカ１１ＲＰの中間位置に配置されている。なお、ここでいう中間位置は、完全に中間位置である必要はなく、多少のずれを許容するものである。
【００８７】
スピーカ１１ＬＰ，１１Ｓは、左耳用信号を再生するためのスピーカであって、指向性を持たせるためのバックツーバックのスピーカ配置の２つのスピーカを構成している。この場合、スピーカ１１ＬＰは、プライマリスピーカを構成し、スピーカ１１Ｓは、セカンダリスピーカを構成する。
【００８８】
スピーカ１１ＲＰ，１１Ｓは、右耳用信号を再生するためのスピーカであって、指向性を持たせるためのバックツーバックのスピーカ配置の２つのスピーカを構成している。この場合、スピーカ１１ＲＰは、プライマリスピーカを構成し、スピーカ１１Ｓは、セカンダリスピーカを構成する。このように、スピーカ１１Ｓは、左耳用信号および右耳用信号を再生するためのセカンダリスピーカとして兼用される。
【００８９】
スピーカ１１ＬＰは立体音響再生（バーチャルサラウンド）のための、左耳用信号ＳＬにより駆動される。スピーカ１１ＲＰは立体音響再生（バーチャルサラウンド）のための右耳用信号ＳＲにより駆動される。
【００９０】
シグナルプロセッサ１４Ｌは、スピーカ１１ＬＰ，１１Ｓで、破線図示するように、左耳用信号が双指向性を持って再生されるように、左耳用信号ＳＬを処理してレベル調整された逆相信号ＳＬ´を生成する。なお、後述するスピーカ１１ＲＰ，１１Ｓで再生される右耳用信号が持つ双指向性については、図面の簡単化のため、その図示は省略している。
【００９１】
また、シグナルプロセッサ１４Ｒは、スピーカ１１ＲＰ，１１Ｓで、右耳用信号が双指向性を持って再生されるように、右耳用信号ＳＲを処理してレベル調整された逆相信号ＳＲ´を生成する。加算器１６は、シグナルプロセッサ１４Ｌで得られる逆相信号ＳＬ´とシグナルプロセッサ１４Ｒで得られる逆相信号ＳＲ´を加算する。スピーカ１１Ｓは加算器１６で得られる加算信号により駆動される。
【００９２】
図８に示す音響装置１０Ｇにおいては、バックツーバックのスピーカ配置のスピーカ１１ＬＰ，１１Ｓが利用されて、左耳用信号が双指向性を持って再生される。そのため、この左耳用信号に関しては、受聴者Ｍの左耳方向に進む音のレベル（矢印ａ参照）に比べて、右耳方向に進む音のレベル（矢印ｂ参照）は低くなり、左耳用信号に関するクロストーク成分が軽減される。また、バックツーバックのスピーカ配置のスピーカ１１ＲＰ，１１Ｓが利用されて、右耳用信号が双指向性を持って再生されるため、右耳用信号に関するクロストーク成分も同様に軽減される。
【００９３】
このように、図８に示す音響装置１０Ｇにおいては、左耳用信号および右耳用信号のそれぞれがバックツーバックのスピーカ配置の２つのスピーカが利用されて双指向性を持って再生されてクロストーク成分が軽減されるものである。そして、この場合、スピーカ１１Ｓは、左耳用信号および右耳用信号を再生するためのセカンダリスピーカとして兼用される。そのため、スピーカアレイのような多数のラウドスピーカを必要とせず、また、スピーカアレイを用いるときのようなスピーカの配置の位置制約もなく、クロストーク成分を良好に軽減でき、良好な立体音響再生（バーチャルサラウンド）が可能となる。
【００９４】
「実施例８」
図９は、実施例８としての音響装置１０Ｈの構成例を示している。この図９において、図８と対応する部分には同一符号を付し、適宜、その詳細説明は省略する。この音響装置１０Ｈは、図８に示す音響装置１０Ｇと同様に、スピーカ１１ＬＰ，１１ＲＰ，１１Ｓが設置されたスピーカ設置部材１２を備えている。
【００９５】
スピーカ１１ＬＰは立体音響再生（バーチャルサラウンド）のための、左耳用信号ＳＬにより駆動される。スピーカ１１ＲＰは立体音響再生（バーチャルサラウンド）のための右耳用信号ＳＲにより駆動される。
【００９６】
シグナルプロセッサ１４Ｌは、スピーカ１１ＬＰ，１１Ｓで、破線図示するように、左耳用信号が単一指向性を持って再生されるように、左耳用信号ＳＬを処理してレベル調整された逆相信号ＳＬ´を生成する。なお、後述するスピーカ１１ＲＰ，１１Ｓで再生される右耳用信号が持つ単一指向性については、図面の簡単化のため、その図示は省略している。
【００９７】
シグナルプロセッサ１４Ｒは、スピーカ１１ＲＰ，１１Ｓで、右耳用信号が単一指向性を持って再生されるように、右耳用信号ＳＲを処理してレベル調整された逆相信号ＳＲ´を生成する。加算器１６は、シグナルプロセッサ１４Ｌで得られる逆相信号ＳＬ´とシグナルプロセッサ１４Ｒで得られる逆相信号ＳＲ´を加算する。スピーカ１１Ｓは加算器１６で得られる加算信号により駆動される。
【００９８】
図９に示す音響装置１０Ｈにおいては、バックツーバックのスピーカ配置のスピーカ１１ＬＰ，１１Ｓが利用されて、左耳用信号が単一指向性を持って再生される。そのため、この左耳用信号に関しては、受聴者Ｍの左耳方向に進む音のレベル（矢印ａ参照）に比べて、右耳方向に進む音のレベル（矢印ｂ参照）は低くなり、左耳用信号に関するクロストーク成分が軽減される。また、バックツーバックのスピーカ配置のスピーカ１１ＲＰ，１１Ｓが利用されて、右耳用信号が単一指向性を持って再生されるため、右耳用信号に関するクロストーク成分も同様に軽減される。
【００９９】
このように、図９に示す音響装置１０Ｈにおいては、左耳用信号および右耳用信号のそれぞれがバックツーバックのスピーカ配置の２つのスピーカが利用されて単一指向性を持って再生されてクロストーク成分が軽減されるものである。そして、この場合、スピーカ１１Ｓは、左耳用信号および右耳用信号を再生するためのセカンダリスピーカとして兼用される。そのため、スピーカアレイのような多数のラウドスピーカを必要とせず、また、スピーカアレイを用いるときのようなスピーカの配置の位置制約もなく、クロストーク成分を良好に軽減でき、良好な立体音響再生（バーチャルサラウンド）が可能となる。
【０１００】
「実施例９」
図１０は、実施例９としての音響装置１０Ｉの構成例を示している。この図１０において、図１と対応する部分には同一符号を付し、適宜、その詳細説明は省略する。この音響装置１０Ｉは、スピーカ１１ＬＰ，１１ＲＰが設置されたスピーカ設置部材１２を備えている。このスピーカ設置部材１２は、例えば、車載シートの図示しない背もたれ部の上部中央位置に取り付けられているヘッドレスト１３に固定されている。なお、このスピーカ設置部材１２は、背もたれ部に固定されてもよい。また、スピーカ設置部材１２は、ヘッドレスト１３あるいはシートの背もたれ部と一体的に構成されていてもよい。
【０１０１】
スピーカ１１ＬＰは、スピーカ設置部材１２の左側前面に設置されている。スピーカ１１ＲＰは、スピーカ設置部材１２の右側前面に設置されている。ここで、スピーカ１１ＬＰとスピーカ１１ＲＰは、ヘッドレスト１３を中心として、受聴者Ｍの左右方向に対応した第１の方向（矢印Ｐで図示）に所定の間隔を持って配置されている。
【０１０２】
スピーカ１１ＬＰ，１１ＲＰは、左耳用信号を再生するためのスピーカであって、指向性を持たせるためのバックツーバックのスピーカ配置の２つのスピーカを構成している。この場合、スピーカ１１ＬＰは、プライマリスピーカを構成し、スピーカ１１ＲＰは、セカンダリスピーカを構成する。
【０１０３】
また、スピーカ１１ＲＰ，１１ＬＰは、右耳用信号を再生するためのスピーカであって、指向性を持たせるためのバックツーバックのスピーカ配置の２つのスピーカを構成している。この場合、スピーカ１１ＲＰは、プライマリスピーカを構成し、スピーカ１１ＬＰは、セカンダリスピーカを構成する。
【０１０４】
このように、右耳用信号を再生するためのプライマリスピーカであるスピーカ１１ＲＰは、左耳用信号を再生するためのセカンダリスピーカとして兼用され、逆に、左耳用信号を再生するためのプライマリスピーカであるスピーカ１１ＬＰは、右耳用信号を再生するためのセカンダリスピーカとして兼用される。
【０１０５】
シグナルプロセッサ１４Ｌは、スピーカ１１ＬＰ，１１ＲＰで、破線図示するように、左耳用信号が単一指向性を持って再生されるように、左耳用信号ＳＬを処理してレベル調整された逆相信号ＳＬ´を生成する。なお、後述するスピーカ１１ＲＰ，１１ＬＰで再生される右耳用信号が持つ単一指向性については、図面の簡単化のため、その図示は省略している。
【０１０６】
また、シグナルプロセッサ１４Ｒは、スピーカ１１ＲＰ，１１ＬＰで、右耳用信号が単一指向性を持って再生されるように、右耳用信号ＳＲを処理してレベル調整された逆相信号ＳＲ´を生成する。加算器１６Ｌは、左耳用信号ＳＬとシグナルプロセッサ１４Ｒで得られる逆相信号ＳＲ´を加算する。スピーカ１１ＬＰは加算器１６Ｌで得られる加算信号により駆動される。加算器１６Ｒは、右耳用信号ＳＲとシグナルプロセッサ１４Ｌで得られる逆相信号ＳＬ´を加算する。スピーカ１１ＲＰは加算器１６Ｒで得られる加算信号により駆動される。
【０１０７】
図１０に示す音響装置１０Ｉにおいては、バックツーバックのスピーカ配置のスピーカ１１ＬＰ，１１ＲＰが利用されて、左耳用信号が単一指向性を持って再生される。そのため、この左耳用信号に関しては、受聴者Ｍの左耳方向に進む音のレベル（矢印ａ参照）に比べて、右耳方向に進む音のレベル（矢印ｂ参照）は低くなり、左耳用信号に関するクロストーク成分が軽減される。また、バックツーバックのスピーカ配置のスピーカ１１ＲＰ，１１ＬＰが利用されて、右耳用信号が単一指向性を持って再生されるため、右耳用信号に関するクロストーク成分も同様に軽減される。
【０１０８】
このように、図１０に示す音響装置１０Ｉにおいては、左耳用信号および右耳用信号のそれぞれがバックツーバックのスピーカ配置の２つのスピーカが利用されて単一指向性を持って再生されてクロストーク成分が軽減されるものである。そして、この場合、右耳用信号を再生するためのプライマリスピーカであるスピーカ１１ＲＰは、左耳用信号を再生するためのセカンダリスピーカとして兼用され、逆に、左耳用信号を再生するためのプライマリスピーカであるスピーカ１１ＬＰは、右耳用信号を再生するためのセカンダリスピーカとして兼用される。
【０１０９】
そのため、スピーカアレイのような多数のラウドスピーカを必要とせず、また、スピーカアレイを用いるときのようなスピーカの配置の位置制約もなく、クロストーク成分を良好に軽減でき、良好な立体音響再生（バーチャルサラウンド）が可能となる。
【０１１０】
「実施例１０」
図１１は、実施例１０としての音響装置１０Ｊの構成例を示している。この図１１において、図１と対応する部分には同一符号を付し、適宜、その詳細説明は省略する。この音響装置１０Ｊは、映画館やテーマパーク（遊園値、温泉）など、複数のシートが隣り合って並んでいる状態を想定している。
【０１１１】
隣接する２つのシートのうち、Ａ側シート（左側シート）には、スピーカ１１ＬＡ、１１ＲＡが設置されたスピーカ設置部材１２Ａが存在する。ここで、スピーカ１１ＬＡとスピーカ１１ＲＡは、ヘッドレスト１３Ａを中心として、受聴者ＭＡの左右方向に対応した第１の方向（矢印Ｐで図示）に所定の間隔を持って配置されている。このスピーカ設置部材１２Ａは、シートの図示しない背もたれ部の上部中央位置に取り付けられているヘッドレスト１３Ａに固定されている。なお、このスピーカ設置部材１２Ａは、背もたれ部に固定されてもよい。また、スピーカ設置部材１２Ａは、ヘッドレスト１３Ａあるいはシートの背もたれ部と一体的に構成されていてもよい。スピーカ１１ＬＡは左耳用信号を再生するためのスピーカであり、スピーカ１１ＲＡは右耳用信号を再生するためのスピーカである。
【０１１２】
また、隣接する２つのシートのうち、Ｂ側シート（右側シート）には、スピーカ１１ＬＢ、１１ＲＢが設置されたスピーカ設置部材１２Ｂが存在する。ここで、スピーカ１１ＬＢとスピーカ１１ＲＢは、ヘッドレスト１３Ｂを中心として、受聴者ＭＢの左右方向に対応した第１の方向（矢印Ｐで図示）に所定の間隔を持って配置されている。このスピーカ設置部材１２Ｂは、シートの図示しない背もたれ部の上部中央位置に取り付けられているヘッドレスト１３Ｂに固定されている。なお、このスピーカ設置部材１２Ｂは、背もたれ部に固定されてもよい。また、スピーカ設置部材１２Ｂは、ヘッドレスト１３Ｂあるいはシートの背もたれ部と一体的に構成されていてもよい。スピーカ１１ＬＢは左耳用信号を再生するためのスピーカであり、スピーカ１１ＲＢは右耳用信号を再生するためのスピーカである。
【０１１３】
ここで、Ａ側シートにおいて、スピーカ１１ＲＡは、Ｂ側シートのスピーカ１１ＬＢと共に、右耳用信号を再生するためのスピーカであって、指向性を持たせるためのバックツーバックのスピーカ配置の２つのスピーカを構成している。この場合、スピーカ１１ＲＡはプライマリスピーカを構成し、スピーカ１１ＬＢはセカンダリスピーカを構成する。また、Ｂ側シートにおいて、スピーカ１１ＬＢは、Ａ側シートのスピーカ１１ＲＡと共に、左耳用信号を再生するためのスピーカであって、指向性を持たせるためのバックツーバックのスピーカ配置の２つのスピーカを構成している。この場合、スピーカ１１ＬＢはプライマリスピーカを構成し、スピーカ１１ＲＡはセカンダリスピーカを構成する。
【０１１４】
シグナルプロセッサ１４Ａは、スピーカ１１ＲＡ，１１ＬＢで、一点鎖線で図示するように、Ａ側シートで右耳用信号が単一指向性を持って再生されるように、Ａ側の右耳用信号ＳＲＡを処理してレベル調整された逆相信号ＳＲＡ´を生成する。シグナルプロセッサ１４Ｂは、破線で図示するように、Ｂ側シートで左耳用信号が単一指向性を持って再生されるように、Ｂ側の左耳用信号ＳＬＢを処理してレベル調整された逆相信号ＳＬＢ´を生成する。
【０１１５】
加算器１６Ａは、Ａ側の右耳用信号ＳＲＡとシグナルプロセッサ１４Ｂで得られるＢ側の逆相信号ＳＬＢ´を加算する。Ａ側のスピーカ１１ＲＡは加算器１６Ａで得られる加算信号により駆動される。加算器１６Ｂは、Ｂ側の左耳用信号ＳＬＢとシグナルプロセッサ１４Ａで得られるＡ側の逆相信号ＳＲＡ´を加算する。Ｂ側のスピーカ１１ＬＢは加算器１６Ｂで得られる加算信号により駆動される。
【０１１６】
図１１に示す音響装置１０Ｊにおいては、Ａ側シートの右耳用信号が、バックツーバックのスピーカ配置のスピーカ１１ＲＡ，１１ＬＢが利用されて、単一指向性を持って再生される。そのため、この右耳用信号に関しては、Ａ側シートの受聴者ＭＡの右耳方向に進む音のレベル（矢印ａ参照）に比べて、Ｂ側シートの受聴者ＭＢの左耳方向に進む音のレベルは大幅に低くなり、Ｂ側シートへのクロストーク成分が軽減される。
【０１１７】
また、Ｂ側シートの左耳用信号が、バックツーバックのスピーカ配置のスピーカ１１ＬＢ，１１ＲＡが利用されて、単一指向性を持って再生される。そのため、この左耳用信号に関しては、Ｂ側シートの受聴者ＭＢの左耳方向に進む音のレベル（矢印ｂ参照）に比べて、Ａ側シートの受聴者ＭＡの右耳方向に進む音のレベルは大幅に低くなり、Ａ側シートへのクロストーク成分が軽減される。
【０１１８】
なお、図１１に示す音響装置１０Ｊにおいて、詳細説明は省略するが、Ａ側シートの左耳用信号の再生においては、上述のＢ側シートの左耳用信号の再生と同様に単一指向性を持たせて再生することで、隣接するシート側へのクロストーク成分を軽減できる。同様に、詳細説明は省略するが、Ｂ側シートの右耳用信号の再生においては、上述のＡ側シートの右耳用信号の再生と同様に単一指向性を持たせて再生することで、隣接するシート側へのクロストーク成分を軽減できる。
【０１１９】
「実施例１１」
図１２は、実施例１１としての音響装置１０Ｋの構成例を示している。この図１２において、図１と対応する部分には同一符号を付し、適宜、その詳細説明は省略する。この音響装置１０Ｋは、テーマパークのアトラクションのように、２つのシートが背中合わせに配置された状態を想定している。
【０１２０】
背中合わせの２つのシートのうち、Ａ側シートには、スピーカ１１ＬＡ、１１ＲＡが設置されたスピーカ設置部材１２Ａが存在する。ここで、スピーカ１１ＬＡとスピーカ１１ＲＡは、ヘッドレスト１３Ａを中心として、受聴者ＭＡの左右方向に対応した第１の方向（矢印Ｐで図示）に所定の間隔を持って配置されている。このスピーカ設置部材１２Ａは、シートの図示しない背もたれ部の上部中央位置に取り付けられているヘッドレスト１３Ａに固定されている。なお、このスピーカ設置部材１２Ａは、背もたれ部に固定されてもよい。また、スピーカ設置部材１２Ａは、ヘッドレスト１３Ａあるいはシートの背もたれ部と一体的に構成されていてもよい。スピーカ１１ＬＡは左耳用信号を再生するためのスピーカであり、スピーカ１１ＲＡは右耳用信号を再生するためのスピーカである。
【０１２１】
また、背中合わせの２つのシートのうち、Ｂ側シートには、スピーカ１１ＬＢ、１１ＲＢが設置されたスピーカ設置部材１２Ｂが存在する。ここで、スピーカ１１ＬＢとスピーカ１１ＲＢは、ヘッドレスト１３Ｂを中心として、受聴者ＭＢの左右方向に対応した第１の方向（矢印Ｐで図示）に所定の間隔を持って配置されている。このスピーカ設置部材１２Ｂは、シートの図示しない背もたれ部の上部中央位置に取り付けられているヘッドレスト１３Ｂに固定されている。なお、このスピーカ設置部材１２Ｂは、背もたれ部に固定されてもよい。また、スピーカ設置部材１２Ｂは、ヘッドレスト１３Ｂあるいはシートの背もたれ部と一体的に構成されていてもよい。スピーカ１１ＬＢは左耳用信号を再生するためのスピーカであり、スピーカ１１ＲＢは右耳用信号を再生するためのスピーカである。
【０１２２】
ここで、スピーカ１１ＬＡ，１１ＬＢは、左耳用信号を再生するためのスピーカであって、指向性を持たせるためのバックツーバックのスピーカ配置の２つのスピーカを構成している。この場合、スピーカ１１ＬＡはプライマリスピーカを構成し、スピーカ１１ＬＢはセカンダリスピーカを構成する。
【０１２３】
スピーカ１１ＬＡは、立体音響再生（バーチャルサラウンド）のための、左耳用信号ＳＬにより駆動される。シグナルプロセッサ１４Ｌは、スピーカ１１ＬＡ，１１ＬＢで、破線図示するように、左耳用信号が双指向性を持って再生されるように、左耳用信号ＳＬを処理してレベル調整された逆相信号ＳＬ´を生成する。なお、後述するスピーカ１１ＲＡ，１１ＲＢで再生される右耳用信号が持つ双指向性については、図面の簡単化のため、その図示は省略している。スピーカ１１ＬＢは、シグナルプロセッサ１４Ｌで得られる逆相信号ＳＬ´により駆動される。
【０１２４】
また、スピーカ１１ＲＡ，１１ＲＢは、右耳用信号を再生するためのスピーカであって、指向性を持たせるためのバックツーバックのスピーカ配置の２つのスピーカを構成している。この場合、スピーカ１１ＲＡはプライマリスピーカを構成し、スピーカ１１ＲＢはセカンダリスピーカを構成する。
【０１２５】
スピーカ１１ＲＡは、立体音響再生（バーチャルサラウンド）のための、右耳用信号ＳＲにより駆動される。シグナルプロセッサ１４Ｒは、スピーカ１１ＲＡ，１１ＲＢで、右耳用信号が双指向性を持って再生されるように、右耳用信号ＳＲを処理してレベル調整された逆相信号ＳＲ´を生成する。スピーカ１１ＲＢは、シグナルプロセッサ１４Ｒで得られる逆相信号ＳＲ´により駆動される。
【０１２６】
図１２に示す音響装置１０Ｋにおいては、バックツーバックのスピーカ配置のスピーカ１１ＬＡ，１１ＬＢが利用されて、左耳用信号が双指向性を持って再生される。そのため、この左耳用信号に関して、Ａ側シートの受聴者ＭＡについては、左耳方向に進む音のレベル（矢印ａ参照）に比べて、右耳方向に進む音のレベル（矢印ｂ参照）は低くなり、左耳用信号に関するクロストーク成分が軽減される。また、この左耳用信号は、位相が反転した信号とはなるが、Ｂ側シートの受聴者ＭＢにも聴取される。この場合、Ｂ側シートの受聴者ＭＢについては、左耳方向に進む音のレベル（矢印ｃ参照）に比べて、右耳方向に進む音のレベル（矢印ｄ参照）は低くなり、左耳用信号に関するクロストーク成分が軽減される。
【０１２７】
また、図１２に示す音響装置１０Ｋにおいては、バックツーバックのスピーカ配置のスピーカ１１ＲＡ，１１ＲＢが利用されて、右耳用信号が双指向性を持って再生される。そのため、この右耳用信号に関して、Ａ側シートの受聴者ＭＡについては、右耳方向に進む音のレベルに比べて、左耳方向に進む音のレベルは低くなり、右耳用信号に関するクロストーク成分が軽減される。また、この右耳用信号は、位相が反転した信号とはなるが、Ｂ側シートの受聴者ＭＢにも聴取される。この場合、Ｂ側シートの受聴者ＭＢについては、右耳方向に進む音のレベルに比べて、左耳方向に進む音のレベルは低くなり、右耳用信号に関するクロストーク成分が軽減される。
【０１２８】
このように、図１２に示す音響装置１０Ｋにおいては、左耳用信号および右耳用信号のそれぞれがバックツーバックのスピーカ配置の２つのスピーカが利用されて双指向性を持って再生されてクロストーク成分が軽減されるものである。そして、この場合、背中合わせの２つのシートにおいて、４個のスピーカで実現できる。そのため、スピーカアレイのような多数のラウドスピーカを必要とせず、また、スピーカアレイを用いるときのようなスピーカの配置の位置制約もなく、クロストーク成分を良好に軽減でき、良好な立体音響再生（バーチャルサラウンド）が可能となる。
【０１２９】
「実施例１２」
図１３は、実施例１２としての音響装置１０Ｌの構成例を示している。この図１３において、図１と対応する部分には、同一符号を付し、適宜、その詳細説明を省略する。この音響装置１０Ｌは、図１に示す音響装置１０Ａと同様に、スピーカ１１ＬＰ，１１ＬＳ，１１ＲＰ，１１ＲＳが設置されたスピーカ設置部材１２を備えている。
【０１３０】
スピーカ１１ＬＰは立体音響再生（バーチャルサラウンド）のための、左耳用信号ＳＬにより駆動される。スピーカ１１ＲＰは立体音響再生（バーチャルサラウンド）のための右耳用信号ＳＲにより駆動される。
【０１３１】
シグナルプロセッサ１４Ｌは、スピーカ１１ＬＰ，１１ＬＳで、左耳用信号が指向性を持って再生されるように、左耳用信号ＳＬを処理してレベル調整された逆相信号ＳＬ´を生成する。ここで、シグナルプロセッサ１４Ｌは、例えば、ユーザ操作で発生される制御信号ＣＬに基づき、左耳用信号の指向性が、図１３に破線図示する双指向性、あるいは図１４に破線図示する単一指向性となるように、逆相信号ＳＬ´の生成処理が切り替え可能とされる。なお、後述するスピーカ１１ＲＰ，１１ＲＳで再生される右耳用信号が持つ指向性については、図面の簡単化のため、その図示は省略している。スピーカ１１ＬＳは、シグナルプロセッサ１４Ｌで得られる逆相信号ＳＬ´により駆動さされる。
【０１３２】
また、シグナルプロセッサ１４Ｒは、スピーカ１１ＲＰ，１１ＲＳで、右耳用信号が指向性を持って再生されるように、右耳用信号ＳＲを処理してレベル調整された逆相信号ＳＲ´を生成する。ここで、シグナルプロセッサ１４Ｒも、上述のシグナルプロセッサ１４Ｌと同様に、制御信号ＣＬに基づき、右耳用信号の指向性が、双指向性、あるいは単一指向性となるように、逆相信号ＳＲ´の生成処理が切り替え可能とされる。スピーカ１１ＲＳは、シグナルプロセッサ１４Ｒで得られる逆相信号ＳＲ´により駆動さされる。
【０１３３】
図１３に示す音響装置１０Ｌにおいては、バックツーバックのスピーカ配置のスピーカ１１ＬＰ，１１ＬＳが利用されて、左耳用信号が双指向性あるいは単一指向性を持って再生される。そのため、この左耳用信号に関しては、受聴者Ｍの左耳方向に進む音のレベル（矢印ａ参照）に比べて、右耳方向に進む音のレベル（矢印ｂ参照）は低くなり、左耳用信号に関するクロストーク成分が軽減される。また、バックツーバックのスピーカ配置のスピーカ１１ＲＰ，１１ＲＳが利用されて、右耳用信号が双指向性あるいは単一指向性を持って再生されるため、右耳用信号に関するクロストーク成分も同様に軽減される。
【０１３４】
このように、図１３に示す音響装置１０Ｌにおいては、左耳用信号および右耳用信号のそれぞれがバックツーバックのスピーカ配置の２つのスピーカが利用されて双指向性を持って再生されてクロストーク成分が軽減されるものである。そのため、スピーカアレイのような多数のラウドスピーカを必要とせず、また、スピーカアレイを用いるときのようなスピーカの配置の位置制約もなく、クロストーク成分を良好に軽減でき、良好な立体音響再生（バーチャルサラウンド）が可能となる。
【０１３５】
また、図１３に示す音響装置１０Ｌにおいては、左耳用信号および右耳用信号に持たせる指向性を双指向性と単一指向性に選択的に切り換えることができる。この場合、クロストーク成分に関しては双指向性にした方がより軽減できるが、単一指向性とすることで、背面側に進む音のレベルを大幅に少なくできる。
【０１３６】
なお、図１３、図１４に示す音響装置１０Ｌは図１に示す音響装置１０Ａに対応したものであるが、図３、図４に示す音響装置１０Ｂ，１０Ｃに対応したものも同様に構成できることは勿論である。
【０１３７】
＜２．変形例＞
なお、上述実施の形態においては、クロストーク成分を軽減するための左耳用信号および右耳用信号に持たせる指向性として双指向性や単一指向性の例を挙げた。しかし、指向性はこれらに限定されるものではなく、要はクロストーク成分を軽減できればよい。
【０１３８】
また、上述の実施の形態は、例示という形態で本技術を開示しており、本技術の要旨を逸脱しない範囲で当業者が実施の形態の修正や代用をなし得ることは自明である。すなわち、本技術の要旨を判断するためには、特許請求の範囲を参酌すべきである。
【０１３９】
また、本技術は、以下のような構成を取ることもできる。
（１）左耳用信号および右耳用信号のそれぞれを、クロストーク成分を軽減するように、少なくともバックツーバックのスピーカ配置の２つのスピーカを利用して、指向性を持たせて再生する
音響装置。
（２）上記スピーカは、ヘッドレストまたは該ヘッドレストが取り付けられるシートに備え付けられたスピーカである
前記（１）に記載の音響装置。
（３）上記左耳用信号および上記右耳用信号のそれぞれに持たせる指向性は、双指向性である
前記（１）または（２）に記載の音響装置。
（４）上記左耳用信号および上記右耳用信号のそれぞれに持たせる指向性は、単一指向性である
前記（１）または（２）に記載の音響装置。
（５）上記バックツーバックのスピーカ配置の２つのスピーカは、プライマリスピーカと指向性を形成するためのセカンダリスピーカからなり、
上記左耳用信号再生用のプライマリスピーカおよび上記右耳用信号再生用のプライマリスピーカは第１の方向に所定の間隔を持って配置され、
上記左耳用信号再生用のセカンダリスピーカは、上記第１の方向において、上記左耳用信号再生用のプライマリスピーカと同じ位置に配置され、
上記右耳用信号再生用のセカンダリスピーカは、上記第１の方向において、上記右耳用信号再生用のプライマリスピーカと同じ位置に配置される
前記（１）から（４）のいずれかに記載の音響装置。
（６）上記バックツーバックのスピーカ配置の２つのスピーカは、プライマリスピーカと指向性を形成するためのセカンダリスピーカからなり、
上記左耳用信号再生用のプライマリスピーカおよび上記右耳用信号再生用のプライマリスピーカは第１の方向に所定の間隔を持って配置され、
上記左耳用信号再生用のセカンダリスピーカは、上記第１の方向において、上記左耳用信号再生用のプライマリスピーカより上記右耳用信号再生用のプライマリスピーカ側にずれた位置に配置され、
上記右耳用信号再生用のセカンダリスピーカは、上記第１の方向において、上記右耳用信号再生用のプライマリスピーカより上記左耳用信号再生用のプライマリスピーカ側にずれた位置に配置される
前記（１）から（４）のいずれかに記載の音響装置。
（７）上記左耳用信号再生用のセカンダリスピーカと上記右耳用信号再生用のセカンダリスピーカは同一のスピーカで構成される
前記（６）に記載の音響装置。
（８）上記バックツーバックのスピーカ配置の２つのスピーカは、プライマリスピーカと指向性を形成するためのセカンダリスピーカからなり、
上記左耳用信号再生用のプライマリスピーカおよび上記右耳用信号再生用のプライマリスピーカは第１の方向に所定の間隔を持って配置され、
上記左耳用信号再生用のセカンダリスピーカは、上記第１の方向において、上記右耳用信号再生用のプライマリスピーカと同じ位置に配置され、
上記右耳用信号再生用のセカンダリスピーカは、上記第１の方向において、上記左耳用信号再生用のプライマリスピーカと同じ位置に配置される
前記（１）から（４）のいずれかに記載の音響装置。
（９）上記バックツーバックのスピーカ配置の２つのスピーカは、プライマリスピーカと指向性を形成するためのセカンダリスピーカからなり、
上記左耳用信号再生用のプライマリスピーカおよび上記右耳用信号再生用のプライマリスピーカは第１の方向に所定の間隔を持って配置され、
上記左耳用信号再生用のプライマリスピーカは、上記右耳用信号再生用のセカンダリスピーカに兼用され、
上記右耳用信号再生用のプライマリスピーカは、上記左耳用信号再生用のセカンダリスピーカに兼用される
前記（１）、（２）または（４）に記載の音響装置。
（１０）上記バックツーバックのスピーカ配置の２つのスピーカは、プライマリスピーカと指向性を形成するためのセカンダリスピーカからなり、
上記左耳用信号再生用のプライマリスピーカおよび上記右耳用信号再生用のプライマリスピーカは第１の方向に所定の間隔を持って配置され、
上記第１の方向において、上記左耳用信号再生用のプライマリスピーカと同一位置に第１のセカンダリスピーカが配置され、上記右耳用信号再生用のプライマリスピーカと同一位置に第２のセカンダリスピーカが配置され、
上記第１のセカンダリスピーカは、上記左耳用再生信号の中高域用のセカンダリスピーカおよび上記右耳用再生信号の低域用のセカンダリスピーカとして用いられ、
上記第２のセカンダリスピーカは、上記右耳用再生信号の中高域用のセカンダリスピーカおよび上記左耳用再生信号の低域用のセカンダリスピーカとして用いられる
前記（１）から（４）のいずれかに記載の音響装置。
（１１）上記中高域用のセカンダリスピーカは単一指向性または双指向性を形成し、上記低域用のセカンダリスピーカは双指向性を形成する
前記（１０）に記載の音響装置。
【符号の説明】
【０１４０】
１０Ａ，１０Ｂ，１０Ｃ，１０Ｄ，１０Ｅ，１０Ｆ，１０Ｇ，１０Ｈ，１０Ｉ，１０Ｊ，１０Ｋ，１０Ｌ・・・音響装置
１１ＬＰ，１１ＲＰ，１１ＬＳ，１１ＲＳ，１１ＳＡ，１１ＳＢ，１１Ｓ，１１ＬＡ，１１ＲＡ，１１ＬＢ，１１ＲＢ・・・スピーカ
１２，１２Ａ，１２Ｂ・・・スピーカ設置部材
１３，１３Ａ，１３Ｂ・・・ヘッドレスト
１４Ｌ，１４Ｒ，１４ＬＬ，１４ＬＨ，１４ＲＨ，１４ＲＬ，１４Ａ，１４Ｂ・・・シグナルプロセッサ
１５ＬＬ，１５ＲＬ・・・ローパスフィルタ
１５ＬＨ，１５ＲＨ・・・ハイパスフィルタ
１６，１６Ｌ，１６Ｒ，１６Ａ，１６Ｂ・・・加算器
３００・・・信号処理装置
３０１・・・音源再生部
３０２・・・立体音像処理部
３０３・・・アンプ
Ｍ，ＭＡ，ＭＢ・・・受聴者
【図１】
2019139103.tif 000003
【図２】
2019139103.tif 000004
【図３】
2019139103.tif 000005
【図４】
2019139103.tif 000006
【図５】
2019139103.tif 000007
【図６】
2019139103.tif 000008
【図７】
2019139103.tif 000009
【図８】
2019139103.tif 000010
【図９】
2019139103.tif 000011
【図１０】
2019139103.tif 000012
【図１１】
2019139103.tif 000013
【図１２】
2019139103.tif 000014
【図１３】
2019139103.tif 000015
【図１４】
2019139103.tif 000016
【国際調査報告】
2019139103.tif 000017
2019139103.tif 000018
2019139103.tif 000019
2019139103.tif 000020